(57)【要約】【課題】  収容された水改質材同士の衝突による摩滅を防止すると共に、被処理水の流量に関係なく被処理水を水改質材と必ず接触させることができ、しかもフィルターの目詰まりが起きにくいようにした水改質器用カートリッジ及び水改質器を提供する。【解決手段】  水改質器用カートリッジ１は、筒状に形成され、外周面と中空部の間で通水が可能なフィルター３と、フィルター３の中空部に充填された水改質材４と、中空部の一端側を閉じる閉鎖部材５１と、中空部の他端側と通じていると共に、カートリッジ１外との通水が可能な通水部材６を備えている。所要数の通水孔７１１を備えた通水板７が中空部の他端側に設けてあり、通水孔７１１は水を回流させることができる方向に設けてある。  【選択図】  図３
2005152876.tif 000002
【特許請求の範囲】
【請求項１】
筒状に形成され、外周面と中空部の間で通水が可能なフィルター(3)と、
該フィルター(3)の中空部に充填された水改質材(4)と、
上記中空部の一端側を閉じる閉鎖部(51)と、
上記中空部の他端側と通じていると共に、カートリッジ外との通水が可能な通水部(6)を備えていることを特徴とする、
水改質器用カートリッジ。
【請求項２】
所要数の通水孔(711)を備えた通水板(7)が中空部の他端側に設けてあり、通水孔(711)は水を回流させることができる方向に設けてあることを特徴とする、
請求項１記載の水改質器用カートリッジ。
【請求項３】
水改質材(4)がマグネシウムであることを特徴とする、
請求項１または２記載の水改質器用カートリッジ。
【請求項４】
閉鎖部(51)がフィルター(3)に着脱可能に設けられていることを特徴とする、
請求項１，２または３記載の水改質器用カートリッジ。
【請求項５】
請求項１，２，３または４記載の水改質器用カートリッジ(1)と、該水改質器用カートリッジ(1)を収容するケーシング(2)を備えていることを特徴とする、
水改質器。
【発明の詳細な説明】
【技術分野】
【０００１】
本発明は水改質器用カートリッジ及び水改質器に関する。
更に詳しくは、収容された水改質材同士の衝突による摩滅を防止すると共に、被処理水の流量に関係なく被処理水を水改質材と必ず接触させることができ、しかもフィルターの目詰まりが起きにくいようにした水改質器用カートリッジ及び水改質器に関する。
【背景技術】
【０００２】
近年における地球環境の悪化は、生命を維持していく上で欠かせない水にも悪影響を与えている。水への悪影響、即ち、水の汚染が懸念される中で、様々な機器を使用して水を飲料用等に適するよう改質する技術に対し、社会的な関心もますます高まっている。
【０００３】
飲料用に適した水として、アルカリイオン水（アルカリ還元水ともいう）が注目されている。アルカリイオン水は、酸化還元電位が低く、マイナスの数値を示すことが知られており、厚生労働省により胃酸過多・慢性下痢・消化不良等の症状に効果があることが認められている。
【０００４】
このようなアルカリイオン水を生成する機器として、本発明者は、特許文献１に示すような水改質器（浄化イオン水発生器）を提案した（図１０参照）。
【特許文献１】特許第３２２３３６３号公報
【０００５】
特許文献１記載の水改質器（図１０参照）は、水改質材９１（浄化材、電解材）を充填した筒体９２内に流通水を噴射回流させる噴射板９３を設け、水と共に水改質材９１を回流または遊動・分散させることによって、水と水改質材９１との接触面積・接触時間を増大させ、効率的な水の改質（アルカリイオン化）を行うことができるものである。
【発明の開示】
【発明が解決しようとする課題】
【０００６】
上記した特許文献１記載の水改質器（図１０参照）は、水の改質を効率的にできるものとして十分に実用的であるが、以下に示すような点について更に改良の余地があった。
【０００７】
即ち、水と共に水改質材９１を回流または遊動・分散させる構造であるため、水改質材９１同士の衝突によってその表面が摩滅してしまう。その結果、水の改質に利用される水改質材９１の全体量が減少し、水改質材９１の交換寿命が早まるという欠点があった。
【０００８】
また図１０に示すように、水改質器を横に設置した場合、被処理水の流量が少なすぎる（流速が遅く、水圧が低い）と水改質材９１が処理室内の下方で留まってしまい、処理室内の一部（図１０で上部側）に水改質材９１が存在しないことになる。この場合、水改質材９１と接触できない水が発生してしまう。
【０００９】
更に、フィルター９４が水改質器の端部側（短辺方向）にしか設けられていないため、被処理水に砂等の不純物が多く含まれる場合にはフィルター９４が目詰まりしやすく、通水量が低下しやすかった。
【００１０】
また更に、フィルター９４が目詰まりしたり、水改質材９１が劣化した場合には、フィルター９４や水改質材９１を交換する必要があるが、特許文献１記載のものは、フィルター９４等を交換するために簡単に分解できるような構造とは言えなかった。
【００１１】
（本発明の目的）
そこで本発明の目的は、収容された水改質材同士の衝突による摩滅を防止すると共に、被処理水の流量に関係なく被処理水を水改質材と必ず接触させることができ、しかもフィルターの目詰まりが起きにくいようにした水改質器用カートリッジ及び水改質器を提供することにある。
【００１２】
本発明の他の目的は、水改質材やフィルターの交換作業を容易に行うことができる水改質器用カートリッジ及び水改質器を提供することにある。
【課題を解決するための手段】
【００１３】
上記目的を達成するために講じた本発明の手段は次のとおりである。
第１の発明にあっては、
筒状に形成され、外周面と中空部の間で通水が可能なフィルターと、
該フィルターの中空部に充填された水改質材と、
上記中空部の一端側を閉じる閉鎖部と、
上記中空部の他端側と通じていると共に、カートリッジ外との通水が可能な通水部を備えていることを特徴とする、
水改質器用カートリッジである。
【００１４】
第２の発明にあっては、
所要数の通水孔を備えた通水板が中空部の他端側に設けてあり、通水孔は水を回流させることができる方向に設けてあることを特徴とする、
第１の発明に係る水改質器用カートリッジである。
【００１５】
第３の発明にあっては、
水改質材がマグネシウムであることを特徴とする、
第１または第２の発明に係る水改質器用カートリッジである。
【００１６】
第４の発明にあっては、
閉鎖部がフィルターに着脱可能に設けられていることを特徴とする、
第１，２または第３の発明に係る水改質器用カートリッジである。
【００１７】
第５の発明にあっては、
第１，２，３または第４の発明に係る水改質器用カートリッジと、該水改質器用カートリッジを収容するケーシングを備えていることを特徴とする、
水改質器である。
【００１８】
使用する「フィルター」としては特に限定するものではなく、公知のものを採用することができる。例えば、活性炭（粒状活性炭、繊維状活性炭、ヤシ殻活性炭等）などの吸着剤をバインダー等で固めて筒状に成形したものや、繊維状の活性炭シートを巻回して筒状にしたものを挙げることができる。
【００１９】
使用する「水改質材」としては、マグネシウムの他に、例えばカルシウム・鉄・亜鉛・コバルト・マンガンやその他のミネラル、石灰石、ドロマイト、大理石、コーラルサンド、貝がら、骨、麦飯石、太陽石、祖陽石、セラミックス、炭（活性炭、備長炭、ヤシガラ炭、竹炭等）、濾過膜（中空糸膜、逆浸透膜、平膜）、イオン交換樹脂等を挙げることができるが、特にこれらに限定するものではない。
【００２０】
また通水板の「通水孔」の形状は、特に限定するものではなく、例えば、円形状や楕円形状、長方形状や正方形状、あるいはその他の多角形や異形状（不規則な形状）のものなどを挙げることができる。
【００２１】
（作  用）
本発明に係る水改質器用カートリッジ（以下、本明細書では単に「カートリッジ」と称する場合がある）は、次のように作用する。
カートリッジをケーシングに収容して、水改質器を構成する。そして、カートリッジの通水部にケーシング外から導入した給水管を直接的または間接的につなぐと共に、ケーシング内に改質前の水（以下、被処理水という）を導水する。被処理水は、筒状に形成されたフィルターの外周面から中空部へ流れ、中空部に充填された水改質材によって改質される。改質後の水は、中空部の他端側に流れ、通水部から給水管を通りケーシングの外へ取り出され、利用される。
【００２２】
また、上記した場合と逆方向に水を流して水を改質することもできる。この場合、水改質材に接触させた被処理水は必ずフィルターを通るので、水改質材をフィルターで確実にろ過することができ、改質後の水に水改質材が混入する恐れはない。
【００２３】
このように、本発明は被処理水がフィルターの中空部を流れながら、中空部に充填された水改質材と接触する構造となっており、特許文献１に記載のものと相違して、被処理水と共に水改質材を回流または遊動・分散させるような構造とはなっていない。  
【００２４】
また被処理水の流量に関係なく、被処理水はフィルターの中空部に流入し、中空部に充填された水改質材と必ず接触する。
【００２５】
更にフィルターが水改質材を外周方向から取り囲むように配置されているため、被処理水はそのフィルターを通って水改質材と接触する、または水改質材と接触した水はそのフィルターを通る。
【００２６】
所要数の通水孔を備えた通水板が中空部の他端側に設けてあり、通水孔が水を回流させることができる方向に設けてあるものは、通水板を通過する水は回流し、一定方向の水流となって円滑に流れる。
【００２７】
水改質材がマグネシウムであるものは、マグネシウムが被処理水と接触することで、下記化学式１に示すように、マグネシウムが水と反応して水酸化マグネシウムと水素が生成し、アルカリイオン水となる。
【００２８】
【化１】
2005152876.tif 000003
【００２９】
閉鎖部がフィルターに着脱可能に設けられているものは、閉鎖部を取り外して中空部の一端側が開口させる。これにより、中空部に充填された水改質材の交換作業を容易に行うことができる。
【発明の効果】
【００３０】
本発明は上記構成を備え、次の効果を有する。
（ａ）本発明に係る水改質器用カートリッジでは、被処理水は中空部を流れながら、中空部に充填された水改質材と接触する構造となっており、被処理水と共に水改質材を回流または遊動・分散させる構造とはなっていない。よって、水改質材同士の衝突によってその表面が摩滅することを防止できる。
【００３１】
また本発明に係る水改質器用カートリッジを使用すれば、被処理水の流量に関係なく、フィルターの中空部に流入した被処理水を中空部に充填された水改質材と必ず接触させることができる。
【００３２】
更に本発明に係る水改質器用カートリッジでは、フィルターが水改質材を外周方向から取り囲むように配置されており、被処理水はそのフィルターを通って水改質材と接触する、または水改質材と接触した水はそのフィルターを通るようになっている。よって、フィルターをカートリッジの端部側だけに設け、端部側から被処理水を通すような構造と比べ、カートリッジ全体に対するフィルターの面積が広いので、フィルターの目詰まりが起きにくい。
【００３３】
（ｂ）所要数の通水孔を備えた通水板が中空部の他端側に設けてあり、通水孔が水を回流させることができる方向に設けてあるものは、通水板を通過した水は回流し、一定方向の水流となって流れる。これにより、水は全体として円滑に流れ、効率的な水の改質が可能になる。
【００３４】
（ｃ）水改質材がマグネシウムであるものは、マグネシウムを被処理水と接触させることで、マグネシウムが水と反応し、水酸化マグネシウムと水素が生成される。これにより、電気分解を利用せずに、電解水製造装置と同等の酸化還元電位やｐＨを有するアルカリイオン水を生成できる。
【００３５】
（ｄ）閉鎖部材がフィルターに着脱可能に設けられているものは、閉鎖部材を取り外せば、フィルター内の水改質材の交換作業を容易に行うことができる。
【００３６】
（ｅ）本発明に係る水改質器によれば、上記した効果を備えた水改質器用カートリッジを使用して被処理水の改質を効率的にできると共に、水改質材やフィルターの交換を行う場合は、カートリッジごと新しいものと交換することができるので、交換作業が容易である。
【発明を実施するための最良の形態】
【００３７】
本発明を図面に示した実施例に基づき更に詳細に説明する。
【実施例１】
【００３８】
図１は、本発明に係る水改質器の第１の実施例を示す斜視説明図、
図２は、水改質器を断面して内部のカートリッジを表した側面視説明図である。
【００３９】
水改質器Ａ１は、例えば水道の配管途中などに接続して水を改質するものである。水改質器Ａ１は、カートリッジ１と、カートリッジ１を収容するケーシング２を備えている。
【００４０】
符号２１は、導水部である水道管等を接続可能な連結部であるコネクターを示し、符号２２は、給水部である水道管等を接続可能な連結部であるコネクターを示している。図２に示すように、例えば被処理水はコネクター２１側からケーシング２内に入り、カートリッジ１内の水改質材で改質され、コネクター２２を通ってケーシング２の外へ取り出され、利用される。
【００４１】
カートリッジ１の寸法は、外径が約９０ｍｍ、長さが約３３７ｍｍである。ケーシング２の寸法は外径が約１３０ｍｍ、長さが約４５３ｍｍである。カートリッジ１やケーシング２の寸法は、特にこれに限定するものではなく、改質する被処理水の量等に応じて適宜設計できる。
【００４２】
［カートリッジ１］
まず、カートリッジ１について説明する。
図３は、カートリッジを断面して内部構造を表した側面視説明図、
図４は、水改質材を省略して表したカートリッジの分解斜視説明図、
図５は、カートリッジの他端側を示す部分拡大断面説明図である。
【００４３】
カートリッジ１は、筒状に形成されたフィルター３を備えている。フィルター３は、外周面と中空部の間で通水が可能となっている。フィルター３の中空部（図３参照）には、水改質材４が充填されている。
【００４４】
本実施例では、水改質材４として細長状（リボン状）のマグネシウム（純度９９．９％）に、太陽石や祖陽石等を一部混ぜて使用している。なお、使用するマグネシウムの形状は特に限定するものではなく、球形状、粒状、粉末状であっても良い。
【００４５】
なお、図５では、水改質材４が後述する第１スペーサー８１の中心部分だけに充填されているように図示しているが（図４についても同じ）、水改質材４の入れ方によっては第１スペーサー８１の内部全体に充填される場合もある。
【００４６】
中空部の一端側（図３で左端側）は、閉鎖部である閉鎖部材５１で閉じられている。中空部の他端側（図３で右端側）には、キャップ式の蓋体で通水部である通水部材６が嵌め込まれ、ネジ６１１で固定されている。
【００４７】
図４で符号８１はリング状の第１スペーサーを示し、符号７は円形状の通水板を示し、符号８２はリング状の第２スペーサーを示している（図３も参照）。
以下、カートリッジ１の各構成部材について、順を追って詳しく説明する。
【００４８】
フィルター３は、筒状に形成された吸着体３１と、吸着体３１の中空部に設けられた筒状の収容体３２を備えている。吸着体３１と収容体３２は共に通水性を有している。
【００４９】
吸着体３１は、活性炭（繊維状活性炭とヤシ殻活性炭）を公知のバインダーで筒状に成形したものであり、独立してその形状を保持できる。吸着体３１は、例えば活性炭とバインダーを混合し成形焼成する方法や、活性炭とバインダーをスラリー状にして押し出し成形により成形し焼成する方法等の公知技術により成形できる。
【００５０】
吸着体３１の外周面部及び内周面部は、通水性を有する不織布３１２，３１２で被覆されている。不織布３１２，３１２は、接着剤やヒートシール等により固定できる。不織布３１２，３１２により、成形した吸着体３１の表面と内面を保護する。
【００５１】
収容体３２は合成樹脂（例えばポリプロピレン等）製である。収容体３２の周壁部には、多数の小さな通水孔３２１が格子状に配列して開口している。収容体３２の中空部分である中空部に水改質材４が充填される。
【００５２】
図４に示すように、吸着体３１の左右両端面には、中心部が開口した環状のパッキン板３３，３３がそれぞれ固定されている。パッキン板３３は、合成樹脂製（例えばポリエチレン発泡シート製）であり、通水性を有していない。パッキン板３３の開口部３３１により、吸着体３１の中空部は開口した状態となる。
【００５３】
フィルター３の一端側（図３で左端側）には、キャップ式の蓋体５がややきつく嵌め込んで取り付けられている。この蓋体５の構成部材の一つが上記した閉鎖部材５１であり、閉鎖部材５１でフィルター３の中空部の一端側を閉じることができる。
【００５４】
閉鎖部材５１は、蓋体５の本体５２との螺合により着脱可能となっている。図４に示す符号５１１は、閉鎖部材５１を螺合して着脱する際に指を入れる凹部を示している。図３に示す状態で、閉鎖部材５１を本体５２から取り外せば、フィルター３内の水改質材４の交換作業を容易に行うことができる。
【００５５】
上記したように通水部材６（図５参照）は、キャップ式の蓋体となっている。通水部材６は、通水口６１０を備えた首部６１を備えている。首部６１の外周面にはネジ山が形成されており、後述するケーシング２の第１蓋体２４の首部２４３（図２参照）に螺合する。
【００５６】
通水部材６（図４参照）の内周壁部６２の深さはやや深めに形成されており、上記した第１スペーサー８１、通水板７及び第２スペーサー８２を、フィルター３との間に挟んだ状態で収容することができる。通水板７は、第１スペーサー８１と第２スペーサー８２の間に挟まれた状態で収容される。
【００５７】
図６は、網体を固着する前の通水板本体の平面視説明図、
図７は、図６のI−I部分に対応する断面の一部を示す概略説明図である。
図４ないし図７を参照して、通水板７の構造について説明する。
【００５８】
図４及び図５に示すように、通水板７は、合成樹脂製で円形の通水板本体７１と、通水板本体７１の表面全体を覆うように固着されたステンレススチール製の網体７２を備えている。本実施例では、通水板本体７１との溶着によって、通水板本体７１に網体７２を固定している。
【００５９】
図５（網体７２を固着する前の通水板本体７１を図示）に示すように、通水板本体７１には、所要数の通水孔７１１が貫通して設けられている。図６（網体７２を固着する前の通水板本体７１を図示）に示すように、通水板本体７１には、通水孔７１１が放射状に合計で１２箇所設けてあるが、特にこの配置と数に限定されない。
【００６０】
各通水孔７１１は、通水方向が通水板本体７１の表裏面に対して斜めになるように設けてある（図７も参照）。これにより、通水板７（図５参照）を通過する水を回流させて一定方向の水流とすることができるので、水を円滑に通水することができる。なお、高い水圧等により水が円滑に流れる場合は、通水孔７１１を通水板本体７１の表裏面に対して垂直方向に設けることもできる。
【００６１】
通水板本体７１（図６参照）は、その中心部に環状の凸部７１２と、その周縁部に壁部７１３を備えている。図５に示すように、凸部７１２と壁部７１３は通水孔７１１の頂部よりも一段高く形成されている。そして、網体７２は、この通水板本体７１の凸部７１２と壁部７１３に固着され、通水孔７１１の頂部と密着していない。
【００６２】
このような構成により、水圧で押された水改質材４が通水孔７１１を塞ぐことを網体７２で防止できる。その結果、水は通水孔７１１を円滑に流れるので、通水量の低下を防止できる。
【００６３】
第１スペーサー８１と第２スペーサー８２は、通水板７の表裏面側にそれぞれ配設されることにより、通水板７の表裏面側に空間部が形成される。これにより、その空間部を通って水は円滑に流れる。
【００６４】
［ケーシング２］
次に、図１及び図２を参照して、カートリッジ１を収容するケーシング２について説明する。
ケーシング２は、強化プラスチック（ＦＲＰ：繊維強化プラスチック）製で筒状のケーシング本体２３を備えている。ケーシング本体２３のうち、一端側（図２で右端側）の開口部（符号省略）には、平面視円形状の第１蓋体２４がややきつく嵌め込んで取り付けられている。符号２４１はＯ−リングを示している。
【００６５】
図１で符号２５は、三日月形状に形成された固定片を示している。この対称形に形成された一対の固定片２５，２５を、ケーシング本体２３の内周面に形成されているリング状の溝２３１（図２参照）に嵌め込んで止めネジ２６で固定することにより、第１蓋体２４はケーシング本体２３から取り外れない。
【００６６】
第１蓋体２４の中心部には、ネジ孔２４２が形成されている。ネジ孔２４２の一端側（ケーシング２の外側）には、コネクター２２が螺合して固定されている。コネクター２２には、外側から水道管等の給水管が接続される。ネジ孔２４２の他端側（ケーシング２の内部側）である首部２４３には、カートリッジ１の通水部材６が螺合して接続されている。
【００６７】
ケーシング本体２３の他端側（図２で左端側）の開口部（符号省略）には、平面視円形状の第２蓋体２７がややきつく嵌め込んで取り付けられている。第１蓋体２４と同様に、第２蓋体２７にはＯ−リング２７１が取り付けられ、固定片２５，２５と止めネジ２６によってケーシング本体２３から取り外れないようになっている。
【００６８】
第２蓋体２７の中心部にはネジ孔２７２が形成され、ネジ孔２７２の一端側（ケーシング２の外側）には、コネクター２１が螺合して固定されている。コネクター２１には、外側から導水部である水道管等が接続される。  
【００６９】
（作  用）
カートリッジ１及びそれを使用した水改質器Ａ１は、次のように作用する。
まず、ケーシング本体２３の一端側（図２で左端側）に、コネクター２１を備えた第２蓋体２７を固定する。次に、第１蓋体２４をケーシング本体２３の他端側（図２で右端側）に固定する前に、第１蓋体２４にカートリッジ１を取り付ける。そして、カートリッジ１と第１蓋体２４をケーシング本体２３内に挿入し、第１蓋体２４をケーシング本体２３の他端側に固定し、水改質器Ａ１を構成する。
【００７０】
そして、第１蓋体２４のコネクター２２に給水管（図示せず）をつなぐと共に、第２蓋体２７のコネクター２１に導水管（図示せず）をつなぎ、ケーシング２内に被処理水を導水する。
【００７１】
被処理水は、カートリッジ１のフィルター３（図３参照）の外周面から中空部へ通水し、中空部に充填された水改質材４によって改質される。改質後の水は、中空部の他端側に流れ、通水部材６から給水管を通りケーシング２の外へ取り出され、利用される。
【００７２】
このように、本実施例に係るカートリッジ１は、被処理水がフィルター３の中空部を流れながら、中空部に充填された水改質材４と接触する構造となっており、被処理水と共に水改質材４を回流または遊動・分散させるような構造とはなっていない。よって、水改質材４同士の衝突によってその表面が摩滅することを防止できる。
【００７３】
また本実施例に係るカートリッジ１では、被処理水の流量に関係なく、フィルター３の外周面から中空部に流入した被処理水を中空部に充填された水改質材４と必ず接触させることができる。
【００７４】
更にフィルター３が水改質材４を外周方向から取り囲むように配置されているため、被処理水はそのフィルター３を通って水改質材４と接触する。よって、フィルター３をカートリッジ１の長手方向の端部側だけに設け、その端部側から被処理水を通すような構造と比べ、カートリッジ１全体に対するフィルター３の面積が広いので、フィルター３の目詰まりが起きにくい。
【００７５】
図５に示すように、本実施例では、排水側（中空部の他端側）に通水孔７１１を備えた通水板７を設けているので、通水板７を通過する水は回流し、一定方向の水流となって流れる。これにより、水は全体として円滑に流れ、効率的な水の改質が可能になる。
【００７６】
また、仮に通水板７を設けない場合、フィルター３の外周面部から中空部に流れた水は、そのまま軸心方向に直線的に流れ、通水口６１０から排出されてしまう。このため、通水部材６の内側隅部付近には、水が滞留して流れない箇所ができてしまう。よって、本実施例では、水を回流させることができる通水板７を設けることで、水を滞留させずに円滑に流すことができる。
【００７７】
更に、マグネシウムを水改質材４の主材としているので、マグネシウムが被処理水と反応し、水酸化マグネシウムと水素が生成される。これにより、電気分解を利用せずに、電解水製造装置と同等の酸化還元電位やｐＨを有するアルカリイオン水を生成できる。
【００７８】
閉鎖部材５１がフィルター３に着脱可能に設けられているので、閉鎖部材５１を取り外せば、フィルター３内の水改質材４の交換作業を容易に行うことができる。
【００７９】
また、水改質材４やフィルター３の交換を行う場合は、カートリッジ１ごと新しいものと交換することができるので、交換作業が容易である。
【００８０】
なお、図２に示す各コネクター２１，２２に接続する導水管と給水管（共に図示せず）を逆に取り付ければ、上記した場合と逆方向（図２で右から左方向）に水を流して水を改質することができる。このようにすれば、被処理水は、カートリッジ１の通水部材６を通ってフィルター１の中空部に充填された水改質材４によって改質され、改質後の水は、フィルター１の中空部から外周面へ流れ、給水管を通ってケーシング２の外へ取り出される。これについては、後述する実施例２についても同様である。
【００８１】
このように、水改質材４に接触させた改質後の水を必ずフィルター３に通すようにすれば、粉末状または細粒状の水改質材４を用いた場合であっても、水に含まれる水改質材４をフィルター３で確実にろ過することができるので、改質後の水に水改質材４が混入する恐れはない。
【実施例２】
【００８２】
図８は、本発明に係る水改質器の第２の実施例を示しており、水改質器を断面して内部のカートリッジを表した側面視説明図、
図９は、図８に示す水改質器の底面視説明図である。
なお、実施例１と同一または同等箇所には同一の符号を付して示している。また、実施例１で示してある箇所については、説明を省略し、主に相異点を説明する。
【００８３】
水改質器Ａ２では、実施例１に係る水改質器Ａ１と相違して、給水部側と導水部側のそれぞれのコネクター２１ａ，２２ａとして、約９０度の角度で曲げられた管継手（エルボ）を使用している。そして、ケーシング本体２３両端側の開口部をキャップ式の蓋体２８，２８で覆っている。各蓋体２８には、コネクター２１ａ，２２ａにつなぐ水道管等を導入するための切欠口２８１を示している。
【００８４】
このように本実施例では、コネクター２１ａ，２２ａが約９０度の角度で曲がっており、しかもコネクター２１ａ，２２ａが蓋体２８，２８によって隠れている。よって、カートリッジ１の交換が必要な水改質器Ａ２は目に見えるように設置し、見苦しい水道管は視界から隠れるように床下等に布設することができる。
【００８５】
また、水改質器Ａ２を地中に埋設する場合では、蓋体２８，２８により、土がケーシング２内に入らないように保護できる。
【００８６】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００８７】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００８８】
【図１】本発明に係る水改質器の第１の実施例を示す斜視説明図。
【図２】水改質器を断面して内部のカートリッジを表した側面視説明図。
【図３】カートリッジを断面して内部構造を表した側面視説明図。
【図４】カートリッジの分解斜視説明図。
【図５】カートリッジの他端側を示す部分拡大断面説明図。
【図６】通水板本体の平面視説明図。
【図７】図６のI−I部分に対応する断面の一部を示す概略説明図。
【図８】本発明に係る水改質器の第２の実施例を示しており、水改質器を断面して内部のカートリッジを表した側面視説明図。
【図９】水改質器の底面視説明図。
【図１０】特許文献１に記載の水改質器を示す縦断面説明図。
【符号の説明】
【００８９】
Ａ１，Ａ２ 水改質器
１ カートリッジ
２ ケーシング
２１，２１ａ，２２，２２ａ コネクタ
２３ ケーシング本体
２４ 第１蓋体
２５ 固定片
２６ 止めネジ
２７ 第２蓋体
２８ 蓋体
２３１ 溝
２４１ Ｏ−リング
２４２ ネジ孔
２４３ 首部
２７１ Ｏ−リング
２７２ ネジ孔
２８１ 切欠口
３ フィルター
３１ 吸着体
３２ 収容体
３３ パッキン板
３１２ 不織布
３２１ 通水孔
３３１ 開口部
４ 水改質材
５ 蓋体
５１ 閉鎖部材
５２ 本体
５１１ 凹部
６ 通水部材
６１ 首部
６２ 周壁部
６１１ ネジ
６１０ 通水口
７ 通水板
７１ 通水板本体
７２ 網体
７１１ 通水孔
７１２ 凸部
７１３ 壁部
８１ スペーサー
８２ スペーサー
９１ 水改質材
９２ 筒体
９３ 噴射板
９４ フィルター
【図１】
2005152876.tif 000004
【図２】
2005152876.tif 000005
【図３】
2005152876.tif 000006
【図４】
2005152876.tif 000007
【図５】
2005152876.tif 000008
【図６】
2005152876.tif 000009
【図７】
2005152876.tif 000010
【図８】
2005152876.tif 000011
【図９】
2005152876.tif 000012
【図１０】
2005152876.tif 000013